(57)【特許請求の範囲】
【請求項１】
移動可能に形成される台部と、前記台部上に配置され起立壁により側部が囲繞されるボウルとを備えるシャンプー台であって、
前記起立壁の前面中央部には、利用者の首を載置できるように切り欠かれた中央切り欠き部が形成され、
前記起立壁の前記前面中央部の右側には、利用者の首を載置できるように切り欠かれた右切り欠き部が形成され、
前記起立壁の前記前面中央部の左側には、利用者の首を載置できるように切り欠かれた左切り欠き部が形成され、
前記起立壁の前記右切り欠き部の側部及び前記起立壁の前記左切り欠き部の側部は、外側に膨らんで洗髪者の手を利用者の頭部の外側から利用者の頭部へ至らしめうるように形成されており、
前記ボウルの前記中央切り欠き部、前記右切り欠き部及び前記左切り欠き部の内側には、それぞれ第１、第２及び第３の座が形成され、
前記第１、第２及び第３の座のいずれかを選択して着脱自在に装着可能な支持体と、
前記支持体上に支持され、利用者の後頭部を載置可能に形成される枕とをさらに備え、
前記ボウルの前記中央切り欠き部、前記右切り欠き部及び前記左切り欠き部のいずれかを選択して装着可能であり、かつ利用者の首部を載置可能に形成される首当てををさらに備え、
前記台部は、複数の筒を入れ子状にスライド自在として上下方向伸縮自在に形成され、伸縮することにより前記ボウルの高さが変更可能となっており、
前記ボウルは、前記台部に対して首振り可能に支持され、
前記台部は、前記複数の筒をスライドさせる伸縮機構と、
前記伸縮機構を作動させ、前記ボウルの高さを無段階に調整するフットレバーと、
前記台部の低部から延設される複数の脚部と、
前記複数の脚部のそれぞれの先端に固定される複数のキャスタとを備えるシャンプー台。
【請求項２】
前記台部は、前後方向において、前記起立壁の前記前面中央部側がより細くその反対側がより太くなる水平断面形状を備える請求項１記載のシャンプー台。
【請求項３】
前記台部と前記ボウルとは、一体成形されている請求項１記載のシャンプー台。
【発明の詳細な説明】
【技術分野】
【０００１】
本発明は、高齢者、入院患者、福祉施設利用者等に対しても、快適かつ安全に洗髪サービスを提供しやすいように配慮したシャンプー台及びボウルに関するものである。
【背景技術】
【０００２】
理髪店や美容院等には、シャンプー台が据え付けられている。そのシャンプー台を使用して利用者の洗髪を行うには、利用者が、リクライニング椅子に着座し、背もたれを倒し、顔を仰向きにして行なわれる。また、フェイスマスクあるいはタオルを折り畳んだものを、顔に載せ顔に洗浄水等がかからないように手当てされる。
【０００３】
上記のような背もたれを倒して顔を仰向きにする、いわゆるバックシャンプー式によるためには、利用者は、シャンプー台の前方に配置される、専用のリクライニングシートに乗り移らなければならない。
【０００４】
健常者であれば、このような乗り移りを造作もなく行える。しかしながら、高齢者、入院患者、福祉施設利用者等のように、車椅子を必要とする人や、ベッドに寝たきりの人に、このような操作を強要することは無理である。
【０００５】
このような方々に快適な洗髪サービスを提供するには、シャンプー台に利用者が近づいたり移動したりするのではなく、シャンプー台の方から利用者に近づき支障なく、かつ快適安全に洗髪サービスを実施できるような配慮が是非とも必要となる。
【０００６】
この点、特許文献１（特開２００６−５５４８５号公報）に開示されているように持ち運び可能なシャンプー台を適用するのは一案である。しかしながら、このものでは、利用者は顔を下向きにすることを強制されるので、うつ伏せの姿勢を取ること自体が困難な方には、適用できない。
【０００７】
また、特許文献２（特開２００７−２０２９９９号公報）あるいは特許文献３（特開２００５−１６８９９２号公報）に示されるように、シャンプー台の内部に利用者の頭部を下方から支持する枕を設けたり、シャンプー台の切欠部に首当てを配設したりするのも、利用者を補助するためには有効である。
【０００８】
しかしながら、従来のシャンプー台では、利用者に近づこうとする配慮が未だ不十分である。特に、利用者あるいは利用者が座ったり寝たりしている車椅子やベッドの位置にあわせて、シャンプー台側が利用者に対して異なる位置関係を採りうるようになっていない。
【０００９】
理髪店や美容院等に据え付けられているシャンプー台は、上記必要性に対応するには論外である。
【００１０】
従来のシャンプー台のうち、持ち運び可能なものであっても、これらの方に適用しようとすると、車椅子やベッドの少なくとも一部がシャンプー台とぶつかってしまい、シャンプー台に利用者の頭部が十分接近できないという事態を招来しやすい。即ち、従来のシャンプー台は、いずれも上記必要性に対応するには、実用にならないという問題点があった。
【特許文献１】特開２００６−５５４８５号公報
【特許文献２】特開２００７−２０２９９９号公報
【特許文献３】特開２００５−１６８９９２号公報
【発明の開示】
【発明が解決しようとする課題】
【００１１】
そこで本発明は、ベッドに寝たきりの利用者や車椅子を利用する利用者の姿勢にあわせてシャンプー台側で適切な位置関係を選択できるようにしたシャンプー台を提供することを目的とする。
【課題を解決するための手段】
【００１２】
第１の発明に係るシャンプー台は、移動可能に形成される台部と、台部上に配置され起立壁により側部が囲繞されるボウルとを備えるシャンプー台であって、起立壁の前面中央部には、利用者の首を載置できるように切り欠かれた中央切り欠き部が形成され、起立壁の前面中央部の右側には、利用者の首を載置できるように切り欠かれた右切り欠き部が形成され、起立壁の前面中央部の左側には、利用者の首を載置できるように切り欠かれた左切り欠き部が形成され、起立壁の右切り欠き部の側部及び起立壁の左切り欠き部の側部は、外側に膨らんで洗髪者の手を利用者の頭部の外側から利用者の頭部へ至らしめうるように形成されている。
【００１３】
この構成により、起立壁の前面中央切り欠き部、左切り欠き部、右切り欠き部のうち、利用者に最も近づけやすい切り欠き部を選択し、シャンプー台側を利用者の姿勢に対して理想的に配置できる。
【００１４】
即ち、ベッドに寝たきりの利用者であれば、ベッドに最も近づけやすい切り欠き部を選び、洗髪者は、利用者が寝たままの状態で洗髪サービスを提供できる。あるいは、車椅子を利用する利用者であれば、車椅子に最も近づけやすい切り欠き部を選び、洗髪者は、利用者が車椅子に乗ったままの状態で洗髪サービスを提供できる。この際、利用者は、専用の椅子などに乗り移る必要はない。勿論、利用者が対応可能であれば、前洗い方式やバックシャンプー方式のいずれを採用しても良い。
【００１５】
起立壁の前面中央切り欠き部、左切り欠き部、右切り欠き部のうちのどの切り欠き部が選択されたとしても、起立壁の右切り欠き部の側部及び起立壁の左切り欠き部の側部は、外側に膨らんで洗髪者の手を利用者の頭部の外側から利用者の頭部へ至らしめうるように形成されているから、洗髪者は、起立壁で遮られることなく、円滑に利用者の頭部へその手を伸ばすことができる。
【００１６】
第２の発明に係るシャンプー台では、ボウルの中央切り欠き部、右切り欠き部及び左切り欠き部の内側には、それぞれ第１、第２及び第３の座が形成され、第１、第２及び第３の座のいずれかを選択して着脱自在に装着可能な支持体と、支持体上に支持され、利用者の後頭部を載置可能に形成される枕とをさらに備える。
【００１７】
この構成により、中央切り欠き部、右切り欠き部あるいは左切り欠き部のいずれが選択されても、選択された切り欠き部に対応する座を選び、選ばれた座に支持体を装着し、支持体で支持される枕により、利用者の後頭部を支えることができる。これにより、利用者の後頭部を安定させることができ、利用者は安心して快適に洗髪サービスを受けることができる。
【００１８】
しかも、支持体及び枕は、第１、第２及び第３の座にそれぞれ配置されるのではなく、いずれかの座に択一的に装着されるので、選択された切り欠き部ではない切り欠き部に対応する座あるいはその座に配置される枕等により、洗髪者の手や利用者の頭部等が干渉するおそれはない。
【００１９】
第３の発明に係るシャンプー台では、ボウルの中央切り欠き部、右切り欠き部及び左切り欠き部のいずれかを選択して装着可能であり、かつ利用者の首部を載置可能に形成される首当てをさらに備える。
【００２０】
この構成により、中央切り欠き部、右切り欠き部あるいは左切り欠き部のいずれが選択されても、選択された切り欠き部に首当てを載置し、載置された首当てにより、利用者の首部を支えることができる。これにより、利用者の首部を安定させることができ、利用者は安心して快適に洗髪サービスを受けることができる。
【００２１】
第４の発明に係るシャンプー台では、台部は、上下方向伸縮自在に形成され、ボウルの高さが変更可能となっている。
【００２２】
この構成により、頭部が比較的に低い位置にある利用者（例えば、ベッドに横たわる利用者）に対しては、台部を下げて対応できるし、頭部が比較的に高い位置にある利用者（例えば、車椅子に乗った利用者）に対しては、台部を上げて対応できる。いずれにしても、高さ方向についても、利用者へシャンプー台側が変化して対応する形態を採りうる。
【００２３】
第５の発明に係るシャンプー台では、ボウルは、台部に対して首振り可能に支持される。
【００２４】
この構成により、ボウルの傾斜を利用者の姿勢にあわせて変更でき、利用者はより容易かつ快適に洗髪サービスを受けることができる。
【００２５】
第６の発明に係るシャンプー台では、台部は、前後方向において、起立壁の前面中央部側がより細くその反対側がより太くなる水平断面形状を備える。
【００２６】
この構成により、台部の形状を工夫してあるので、車椅子やベッドに台部がぶつかって台部が接近を邪魔するおそれが少ない。即ち、台部を車椅子やベッドすれすれまで近接することができ、シャンプー台を利用者の姿勢に対して理想的に配置できる。
【発明の効果】
【００２７】
本発明は、以上のように構成したので、利用者に最も近づけやすい切り欠き部を選択し、シャンプー台側を利用者の姿勢に対して理想的に配置できる。即ち、利用者がシャンプー台に合わせて移動するのではなく、シャンプー台側を利用者の姿勢に合わせて配置できるため、ベッドに寝たきりの利用者や車椅子を利用する利用者のように自由に姿勢を変更できない利用者に対しても、円滑かつ快適に洗髪サービスを提供できる。
【発明を実施するための最良の形態】
【００２８】
（実施の形態１）
以下図面を参照しながら、本発明の実施の形態を説明する。
【００２９】
図１は、本発明の実施の形態１におけるシャンプー台の斜視図、図２は、同シャンプー台の断面図である。
【００３０】
図１、図２に示すように、本形態のシャンプー台は、床面７上を移動可能に形成される台部８と、台部８上に配置され起立壁２４により側部が囲繞されるボウル２０とを備える。
【００３１】
本形態の台部８は、下方から互いにスライド自在に、かつ入れ子状に配置される、第１筒９、第２筒１０、第３筒１１とを備え、各筒９、１０、１１は、前後方向において、起立壁２４の前面中央部側がより細くその反対側がより太くなる水平断面形状（船の舳先状）となっている。
【００３２】
また、本形態では、最も低い第１筒９の底面に位置する水平な支持板９ａから右前方、左前方、後方へ３本の脚部１〜３が延設され、各脚部１〜３の先端には、下向きにキャスタ４〜６が固定される。勿論、脚部の本数は図示したものに限らず、例えば４本とするなど種々変更できる。
【００３３】
したがって、キャスタ４〜６を床面７上で回転させることにより、台部８を水平面内で自由に移動できる。特に、各筒９〜１１の水平断面形状が上述のように形成されているから、台部８を、利用者が乗る車椅子や利用者が横たわるベッド等に対してぎりぎりまで近づけることができる。言い換えれば、台部８は、車椅子やベッドに干渉しにくいように形成されている。
【００３４】
その結果、台部８の最上段の第３筒１１の天板１１ａに対して、図６に示すように首振り自在に装着されるボウル２０を、車椅子に乗る利用者やベッドに横たわる利用者に対して、これらの利用者の姿勢に合わせ、極力近づけることができる。本形態では、レバー１２を回転させることにより、ボウル２０を首振りさせることができるようにしたが、勿論これは単なる例示に過ぎず種々変更できる。
【００３５】
台部８の伸縮機構やボウル２０のチルト機構は、周知手段により構成して差し支えないので、これらの機構に関する詳細な説明は省略する。
【００３６】
なお、本形態のシャンプー台では、フットレバー（図示せず）を踏むことにより、台部８の高さを無段階に調整できるようになっている。台部は、フレーム等を組み合わせて構成することもできる。
【００３７】
ボウル２０の構成材料は、陶器、軽合金、合成樹脂などである。本形態では、制作の容易さや重量を軽くするために、合成樹脂に強化繊維を混入したＦＲＰを使用しているが、これは例示に過ぎない。
【００３８】
ボウル２０の周囲は、起立壁２４により囲繞され、起立壁２４の内部は、利用者３１の頭部を入れたり、洗髪者の手３２を入れたりできる凹部２１となっている。
【００３９】
凹部２１の底部には、排水孔２２が開設され、排水孔２２には、排水管２３が接続される。また、起立壁２４の一部が肉厚に形成され、シャワーヘッド３３及びシャワーヘッド３３へ湯あるいは水を供給する、フレキシブルホースからなる給水管３４をセットできるヘッド立て３５が形成されている。
【００４０】
したがって、図２に示すように、給水管３４を介してシャワーヘッド３３から湯あるいは水を噴射でき、流れ出た湯あるいは水は、凹部２１をつたって排水孔２２に至り、排水管２３を通してシャンプー台の外部へ排水できるようになっている。
【００４１】
図３から図５に示すように、起立壁２４の前面中央部には、利用者３１の首を載置できるように切り欠かれた中央切り欠き部３６が形成され、起立壁２４の前面中央部の右側には、利用者３１の首を載置できるように切り欠かれた右切り欠き部３７が形成され、起立壁２４の前面中央部の左側には、利用者３１の首を載置できるように切り欠かれた左切り欠き部３８が形成される。これらの切り欠き部３６〜３８は、ほぼ同形となっている。
【００４２】
また、起立壁２４の右切り欠き部３７の側部及び起立壁２４の左切り欠き部３８の側部は、外側に膨らんで洗髪者の手３２を利用者３１の頭部の外側から利用者３１の頭部へ至らしめうるように形成されている。
【００４３】
図２に示すように、本形態のシャンプー台では、利用者３１の首部を載置可能に形成される首当て２５を、中央切り欠き部３６、右切り欠き部３７及び左切り欠き部３８のいずれかを選択して装着できるようになっている。
【００４４】
選択された切り欠き部に首当て２５を装着すると、利用者３１の首部が支持され、利用者３１は安心して快適に洗髪サービスを受けることができる。
【００４５】
図３から図５に示すように、本形態のボウル２０の底部のうち、中央切り欠き部３６、右切り欠き部３７及び左切り欠き部３８の内側には、それぞれ同じ形状をなす、第１、第２及び第３の座２６ａ、２６ｂ、２６ｃが形成されている。
【００４６】
第１、第２及び第３の座２６ａ、２６ｂ、２６ｃのいずれかには、枕２９を支持する支柱２８の下端部が固定されるボックス状の支持体２７を装着できるようになっている。
【００４７】
したがって、選択された座に支持体２７を装着すると、利用者３１の後頭部が枕２９により支持され、利用者３１は安心して快適に洗髪サービスを受けることができる。
【００４８】
図２では、利用者３１は、車椅子に乗ったまま、その背もたれ３０を倒した状態を示しているが、利用者３１は、ベッド（図示せず）に寝たままのこともあるし、他の状態にあることもある。
【００４９】
上述したように、利用者３１の状態にあわせ、台部８を利用者３１に極力近づけて、中央切り欠き部３６、右切り欠き部３７及び左切り欠き部３８のうち、利用者３１にとって最も楽な切り欠き部を選択する。そして、選択された切り欠き部に首当て２５を装着し、また、その切り欠き部に対応する座を選択し、枕２９の下方の支持体２７を選択された座に装着する。
【００５０】
こうすると、図２に示すように、利用者３１が楽な姿勢のまま、洗髪者は利用者３１に洗髪サービスを提供できる。
【００５１】
ここで、例えば、利用者３１が車椅子に乗っているときは、図３〜図５のいずれかのパターンのうち最も利用者３１が楽に採りうるパターンを選択すると良い。利用者が車椅子に乗っているときは、たいていの場合、図３に示すように中央切り欠き部３６を使用すると良い場合が多いが、本発明は、この場合に限定されるものではない。
【００５２】
一方、利用者３１がベッドに寝たきりの状態にあるときは、ベッドサイドぎりぎりまで台部８及びボウル２０を接近させる。この場合、利用者３１の体位変更及び利用者３１、ベッド、シャンプー台の位置関係を考慮して、図３〜図５のいずれかのパターンのうち最も利用者３１が楽に採りうるパターンを選択すると良い。利用者がベッドに寝ているときは、たいていの場合、図４あるいは図５に示すように右切り欠き部３７あるいは左切り欠き部３８を使用すると良い場合が多いが、本発明は、この場合に限定されるものではない。
【００５３】
（実施の形態２）
図７は、本発明の実施の形態２におけるボウル２０の平面図である。図７に示されたボウル２０は、実施の形態１のボウルよりも、起立壁２４の右切り欠き部３７の側部及び起立壁２４の左切り欠き部３８の側部を、さらに外側に膨らんだ形状となしている。
【００５４】
その一方、ボウル２０の奥側をより細く絞った形状となしている。洗髪者の作業性を考慮すると、実施の形態１のボウルよりも図７のボウル２０の方がより好ましい。
【００５５】
さらに、本発明の趣旨を逸脱しない限り、ボウルの平面形状を、他の多角形状、円状、楕円状等種々変更でき、そのようにしても本発明に包含されることは言うまでもない。勿論、利用者が対応可能であれば、利用者が顔を下に向けた姿勢など以上に言及した以外の姿勢をとる状態で、洗髪してもよい。
【図面の簡単な説明】
【００５６】
【図１】本発明の実施の形態１におけるシャンプー台の斜視図
【図２】本発明の実施の形態１におけるシャンプー台の断面図
【図３】本発明の実施の形態１におけるボウルの平面図
【図４】本発明の実施の形態１におけるボウルの平面図
【図５】本発明の実施の形態１におけるボウルの平面図
【図６】本発明の実施の形態１におけるシャンプー台の側面図
【図７】本発明の実施の形態２におけるボウルの平面図
【符号の説明】
【００５７】
１、２、３  脚部
４、５、６  キャスタ
７  床面
８  台部
９  第１筒
９ａ  支持板
１０  第２筒
１１  第３筒
１１ａ  天板
１２  レバー
２０  ボウル
２１  凹部
２２  排水孔
２３  排水管
２４  起立壁
２５  首当て
２６ａ、２６ｂ、２６ｃ  座
２７  支持体
２８  支柱
２９  枕
３０  背もたれ
３１  利用者
３２  洗髪者の手
３３  シャンプーヘッド
３４  給水管
３５  ヘッド立て
３６  中央切り欠き部
３７  右切り欠き部
３８  左切り欠き部
【図１】
0005236329.tif 000002
【図２】
0005236329.tif 000003
【図３】
0005236329.tif 000004
【図４】
0005236329.tif 000005
【図５】
0005236329.tif 000006
【図６】
0005236329.tif 000007
【図７】
0005236329.tif 000008